(57)【要約】      （修正有）【課題】室内空間を大きく確保しつつ、室内に梁型・柱型が出ないようにするのを容易とし、さらにパイプスペースに対する内柱や大梁の干渉をも回避可能な建物を提供すること。【解決手段】外周部をＲＣ造又はＳＲＣ造としてあり、互いに略平行に延びる二つの外周構面１，２間に、一方の外周構面１に沿う居室３と、他方の外周構面２に沿う居室４と、これら両居室３，４に挟まれた中廊下５とを配し、前記各居室３，４は、前記中廊下５に面する玄関側から奥側に向かって延びるナローエリアと、このナローエリアの奥側に位置し、該ナローエリアよりも間口の大きいワイドエリアとを有し、前記二つの外周構面１，２間を３スパンの架構をもって構成し、該二つの外周構面１，２の間に位置する各柱１２，１３を、前記ワイドエリアと前記中廊下５とで挟まれる領域において該中廊下５よりも該ワイドエリアに近い位置に配した。【選択図】図１
2020094378.tif 000002
【特許請求の範囲】
【請求項１】
外周部をＲＣ造又はＳＲＣ造としてあり、
互いに略平行に延びる二つの外周構面間に、一方の外周構面に沿う居室と、他方の外周構面に沿う居室と、これら両居室に挟まれた中廊下とを配し、
前記各居室は、前記中廊下に面する玄関側から奥側に向かって延びるナローエリアと、このナローエリアの奥側に位置し、該ナローエリアよりも間口の大きいワイドエリアとを有し、
前記二つの外周構面間を３スパンの架構をもって構成し、該二つの外周構面の間に位置する各柱を、前記ワイドエリアと前記中廊下とで挟まれる領域において該中廊下よりも該ワイドエリアに近い位置に配したことを特徴とする建物。
【請求項２】
前記二つの外周構面の柱及び梁を、前記居室の奥行方向に薄い扁平とし、かつ、該梁の梁天端レベルを床レベルよりも上とした請求項１に記載の建物。
【請求項３】
前記外周部の柱及び梁が、躯体の剛性を確保し、かつ、外装を形成するものである請求項１または２に記載の建物。
【発明の詳細な説明】
【技術分野】
【０００１】
本発明は、例えば、ホテル、マンション、ビル、病院、保養所等の建物に関し、特に中廊下を有する建物に関する。
【背景技術】
【０００２】
従来の高層及び超高層のホテルには鉄骨造による架構形式が多く採用されている。
【発明の概要】
【発明が解決しようとする課題】
【０００３】
こうしたホテルにおいて、一般的には、鉄骨躯体の形状がホテルの客室内に梁型、柱型として現れてしまい、すっきりとした空間にならない。すなわち、梁型が戸境壁の部分に出たり窓回りの開口面積を小さくしたりし、また、柱型５１によって平面的にベッドなどの家具や備品の設置スペースが減ってしまうことがある（図４参照）。
【０００４】
一方、図４に示すように、中廊下５の両側に居室５２，５３を配したホテルでは、中廊下５を桁行方向に延ばし、梁間方向に２スパンの架構とするのが一般的であり、中廊下５に面する位置にパイプスペース（ＰＳ）１４を設けることが多い。
【０００５】
しかし、このような中廊下型のホテルの場合、内柱５４が必然的にパイプスペース１４付近に配されることになるが、この内柱５４や内柱５４から延びる大梁がパイプスペース１４に干渉することになる。
【０００６】
なお、以上述べたことは、ホテルに限らず、マンション等、他の建物についても当て嵌まる。
【０００７】
本発明は、室内空間を大きく確保しつつ、室内に梁型・柱型が出ないようにするのを容易とし、さらにパイプスペースに対する内柱や大梁の干渉をも回避可能な建物を提供することを目的とする。
【課題を解決するための手段】
【０００８】
上記目的を達成するために、本発明に係る建物は、外周部をＲＣ造又はＳＲＣ造としてあり、互いに略平行に延びる二つの外周構面間に、一方の外周構面に沿う居室と、他方の外周構面に沿う居室と、これら両居室に挟まれた中廊下とを配し、前記各居室は、前記中廊下に面する玄関側から奥側に向かって延びるナローエリアと、このナローエリアの奥側に位置し、該ナローエリアよりも間口の大きいワイドエリアとを有し、前記二つの外周構面間を３スパンの架構をもって構成し、該二つの外周構面の間に位置する各柱を、前記ワイドエリアと前記中廊下とで挟まれる領域において該中廊下よりも該ワイドエリアに近い位置に配した（請求項１）。
【０００９】
上記建物において、前記二つの外周構面の柱及び梁を、前記居室の奥行方向に薄い扁平とし、かつ、該梁の梁天端レベルを床レベルよりも上としてもよい（請求項２）。
【００１０】
上記建物において、前記外周部の柱及び梁が、躯体の剛性を確保し、かつ、外装を形成するものとしてもよい（請求項３）。
【発明の効果】
【００１１】
本願発明では、室内空間を大きく確保しつつ、室内に梁型・柱型が出ないようにするのを容易とし、さらにパイプスペースに対する内柱や大梁の干渉をも回避可能な建物が得られる。
【００１２】
すなわち、本願の各請求項に係る発明の建物では、二つの外周構面間を３スパンの架構としたことにより、これを２スパンとした場合に比べ、１スパンあたりの距離が短くなるので、梁成を抑えて室内に梁型が出ないようにするのが容易となる。
【００１３】
仮に二つの外周構面の間に位置する各柱がワイドエリア内にあると、このワイドエリアの室内プランの自由度が低下したり、居住性が損なわれたりする恐れがある。また、上記各柱が中廊下に近い位置にあると、通常、中廊下に面する位置に設けられるパイプスペース（ＰＳ）が、大梁の干渉によって圧迫されてしまう。しかし、本発明の建物では、上記各柱をワイドエリア内や中廊下に近い位置に配置しないので、こうした不都合を回避し、ひいてはパイプスペースを必要最小限の大きさに抑えることもできる。
【００１４】
請求項２に係る発明の建物では、各居室のワイドエリア内に柱型や梁型が出ないようにし、すっきりとした空間とするのが容易となる上、梁天端レベルを床レベルよりも上とすることにより、天井近くまで高さのある大きな窓を確保することができる。
【００１５】
請求項３に係る発明の建物では、外周部の柱及び梁が躯体の剛性を確保するので、例えば内部を鉄骨造とする場合、内部鉄骨については外周構面に平行となる鉄骨梁のメンバー（部材寸法）を小さくすることができ、内部の各柱についても、該平行方向への柱成を小さくすることができる。また、外周部の柱及び梁が外装を兼用するので、居室内の有効面積を大きく確保することができる上、多工種による取り合いが減り、外装材コストを低減することもでき、窓のサイズアップなど、居室空間の価値向上に寄与することもできる。
【図面の簡単な説明】
【００１６】
【図１】本発明の一実施の形態に係る建物の架構の構成を概略的に示す斜視図である。
【図２】（Ａ）及び（Ｂ）は、前記建物の構成を概略的に示す部分拡大平面図及び部分拡大縦断面図である。
【図３】前記建物の基準階の要部の構成を概略的に示す平面図である。
【図４】従来の建物の要部の構成を概略的に示す平面図である。
【発明を実施するための形態】
【００１７】
本発明の実施の形態について図面を参照しながら以下に説明する。
【００１８】
図１〜図３に示す本例の建物は、ラーメン架構を採用した高層又は超高層のホテルであり、基準階において、互いに略平行（本例では桁行方向）に延びる二つの外周構面１，２間に、一方の外周構面１に沿う居室３と、他方の外周構面２に沿う居室４と、これら両居室３，４に挟まれた中廊下５とを配してある。
【００１９】
各居室３，４は、図２（Ａ）及び図３に示すように、中廊下５に面する玄関６側から奥側に向かって延びるナローエリア７と、このナローエリア７の奥側に位置し、ナローエリア７よりも間口の大きいワイドエリア８とを有する。
【００２０】
そして、図３に示すように、本例では、複数の居室３、４が、外周構面１，２の延びる方向（桁行方向）に並列配置され、隣り合う居室３どうし、居室４どうしは、戸境壁９を共有している。
【００２１】
また、本例の建物は、二つの外周構面１，２間を３スパンの架構をもって構成し、外周構面１，２上にある外柱１０，１１の間に、２本の内柱１２，１３が位置するようにしてあり、二つの外周構面１，２の間に位置する各内柱１２，１３を、ワイドエリア８と中廊下５とで挟まれる領域Ｒにおいて中廊下５よりもワイドエリア８に近い位置に配してある。
【００２２】
このように、本例では、二つの外周構面１，２間を３スパンの架構としたことにより、これを２スパンとした場合に比べ、１スパンあたりの距離が短くなるので、二つの外周構面１，２間に架け渡される梁の梁成を抑えて居室３，４内に梁型が出ないようにするのが容易となる。
【００２３】
また、仮に、二つの外周構面１，２の間に位置する各内柱１２，１３がワイドエリア８内にあると、これが柱型としてワイドエリア８内に現れてしまい、平面的にベッド、椅子等の家具や空気清浄器、ごみ箱等の備品の設置スペースが減るなど、このワイドエリア８の室内プランの自由度が低下したり、居住性が損なわれたりする恐れがある。逆に、各内柱１２，１３が中廊下５に近い位置にあると、通常、中廊下５に面する位置（かつ、玄関６を避けた位置）に設けられるパイプスペース（ＰＳ）１４が、大梁の干渉によって圧迫されてしまう。しかし、本例では、各内柱１２，１３をワイドエリア８内や中廊下５に近い位置に配置しないので、こうした不都合を回避し、ひいてはパイプスペース１４を必要最小限の大きさに抑えることもできる。
【００２４】
なお、本例では、図３に示すように、居室３においては、中廊下５側からみてパイプスペース１４の奥側に設けたサニタリールーム（浴室、洗面台、トイレの少なくとも何れか一つを含む空間であり、本例では全てを含む）１５の背後側（ナロースペース７と反対側）に内柱１２を隠し、居室４においては、ナローエリア７に設けた造作家具（本例ではワードローブ）１６によって内柱１３を隠してあり、内柱１２，１３の柱型による圧迫感の付与を巧みに回避することができる。
【００２５】
また、本例では、図２（Ａ）及び（Ｂ）、図３に示すように、二つの外周構面１，２の外柱１０，１１及び外梁１７，１８を、居室３，４の奥行方向（梁間方向）に薄い扁平としたことにより、各居室３，４のワイドエリア８内に柱型や梁型が出ないようにし、すっきりとした空間とするのが容易となっている。
【００２６】
加えて、本例では、図２（Ｂ）に示すように、外梁１８（外梁１７も）の梁天端レベルを床レベルよりも上としたことにより、天井近くまで高さのある大きな窓を確保することができる。
【００２７】
さらに、本例では、建物の外周部をＲＣ造とし、かつ、外周部の柱（外柱）１０，１１及び梁（外梁）１７，１８（図２（Ａ）及び（Ｂ）、図３参照）が、躯体の剛性を確保するものとしてある。これにより、例えば内部をＳ造（鉄骨造）とした場合、内部鉄骨については外周構面１，２に平行となる内梁（鉄骨梁）１９（図２（Ｂ）参照）のメンバー（部材寸法）を小さくすることができ、内部の鉄骨柱である各内柱１２，１３についても、該平行方向（桁行方向）への柱成を小さくすることができる。そして、内柱１２，１３の桁行方向の柱成を小さく抑えられることは、上述のように、内柱１２，１３をサニタリールーム１５の背後側や造作家具１６に隠すこと、ひいては圧迫感付与の回避の容易化や利用空間の拡大にも繋がる。
【００２８】
また、本例では内部をＳ造とするが、この場合、内部における下層階の柱抜け（一部の内柱１２，１３の省略、図１参照）にも対応が可能となる。
【００２９】
その上、本例では、外周部の柱（外柱）１０，１１及び梁（外梁）１７，１８（図２（Ａ）及び（Ｂ）、図３参照）が、外装を形成するものとするのであり、このように外柱１０，１１及び梁１７，１８が外装を兼用するようにすることにより、居室３，４内の有効面積を大きく確保することができる上、多工種による取り合いが減り、外装材コストを低減することもでき、窓のサイズアップなど、客室空間の価値向上に寄与することもできる。
【００３０】
なお、本発明は、上記の実施の形態に何ら限定されず、本発明の要旨を逸脱しない範囲において種々に変形して実施し得ることは勿論である。例えば、以下のような変形例を挙げることができる。
【００３１】
上記実施の形態では、外周部をＲＣ造としてあるが、これに限らず、例えばＳＲＣ造としてもよい。そして、このように鉄筋コンクリート系の構造とした外周部によって剛性を確保し地震力に抵抗する場合、必要に応じてコア周り等に耐震要素を設けてもよい。
【００３２】
外周部の柱（外柱）１０，１１及び梁（外梁）１７，１８については、現場打ち工法で構築してもよいが、プレキャストコンクリートで構成してもよい。
【００３３】
上記実施の形態では、図３に示すように、中廊下５を挟んで向かい合う居室３，４は、一方の玄関６が他方のパイプスペース１４に対向する配置関係となっているため、居室３，４で内柱１２，１３の隠し方が異なっているが、これに限らず、例えば、中廊下５を挟んで向かい合う居室３，４の玄関６どうし、パイプスペース１４どうしが対向するようにし、内柱１２，１３の隠し方、ひいては室内プランを共通化する（すなわち、居室３、４の何れかの室内プランに統一する）ようにしてもよい。
【００３４】
本発明は、平面視矩形状の建物に限らず、互いに略平行に延びる二つの外周構面１，２を有する建物に適用可能であって、例えば平面視が台形状、平行四辺形状、Ｌ字状、中庭を有する口の字状等を呈する建物にも適用可能である。
【００３５】
なお、上記変形例どうしを適宜組み合わせてもよいことはいうまでもない。
【符号の説明】
【００３６】
１    外周構面
２    外周構面
３    居室
４    居室
５    中廊下
６    玄関
７    ナローエリア
８    ワイドエリア
９    戸境壁
１０    外柱
１１    外柱
１２    内柱
１３    内柱
１４    パイプスペース
１５    サニタリールーム
１６    造作家具
１７    外梁
１８    外梁
１９    内梁
５１    柱型
５２    居室
５３    居室
５４    内柱
Ｒ    領域
【図１】
2020094378.tif 000003
【図２】
2020094378.tif 000004
【図３】
2020094378.tif 000005
【図４】
2020094378.tif 000006